(57)【要約】【課題】入力されたカラー画像の黒エッジ領域に墨入れ処理して生成した描画用データに基づいて記録媒体に画像を形成する画像形成プロセスにおいて色ずれが生じた際に、黒エッジ領域近傍に記録媒体の地肌が露出して白抜けした擬似輪郭領域が発生することを防止することができる描画用の黒エッジデータを生成することができる画像処理装置及び画像形成装置を提供する。【解決手段】カラー画像データから黒エッジ領域を抽出するエッジ抽出手段２２２と、黒エッジ領域に対してそれ以外の領域とは異なる比率で墨入れ処理を行なう墨入れ処理手段２２６を備えた画像処理装置２及び画像形成装置１で、前記エッジ抽出手段２２２により抽出された黒エッジ領域が文字領域か否かを判別する文字領域判別手段２２３を備え、前記墨入れ処理手段２２６は文字領域以外の黒エッジ領域に対して文字領域よりも低い比率で墨入れ処理する。【選択図】図１
2008205967.tif 000002
【特許請求の範囲】
【請求項１】
入力されたカラー画像データから黒エッジ領域を抽出するエッジ抽出手段と、抽出された黒エッジ領域に対してそれ以外の領域とは異なる比率で墨入れ処理を行なう墨入れ処理手段を備えている画像処理装置であって、
前記エッジ抽出手段により抽出された黒エッジ領域が文字領域か否かを判別する文字領域判別手段を備え、前記墨入れ処理手段は、前記文字領域判別手段により判別された文字領域以外の黒エッジ領域に対して文字領域よりも低い比率で墨入れ処理する画像処理装置。
【請求項２】
前記文字領域判別手段は、前記黒エッジ領域から選択される注目画素の所定範囲の周辺画素数に対する黒画素数の比率が所定の閾値より小となるときに当該注目画素が文字領域であると判別する請求項１記載の画像処理装置。
【請求項３】
前記閾値が前記注目画素の濃度に基づいて可変に設定される請求項２記載の画像処理装置。
【請求項４】
前記墨入れ処理手段は、前記文字領域判別手段により判別された文字領域以外の黒エッジ領域をＵＣＲ処理するとともに文字領域をＧＣＲ処理する請求項１から３の何れかに記載の画像処理装置。
【請求項５】
前記墨入れ処理手段は、前記文字領域判別手段により判別された文字領域以外の黒エッジ領域を文字領域と判別された黒エッジ領域よりも低い比率でＵＣＲ処理する請求項１から３の何れかに記載の画像処理装置。
【請求項６】
請求項１から５の何れかに記載の画像処理装置を備えて構成される画像形成装置。
【発明の詳細な説明】
【技術分野】
【０００１】
本発明は、入力されたカラー画像データから黒エッジ領域を抽出するエッジ抽出手段と、抽出された黒エッジ領域に対してそれ以外の領域とは異なる比率で墨入れ処理を行なう墨入れ処理手段を備えている画像処理装置に関する。
【背景技術】
【０００２】
従来、入力されたカラー画像データに基づいて記録媒体にカラー画像を形成する画像形成装置は、一般的に、ある表色系の色成分でなる当該カラー画像データをＣＭＹ色成分でなる描画用データに変換して画像を形成し、出力する。理論上、ＣＭＹ各色のトナーやインク（以下、「トナー」と記載する。）を等量、記録媒体上に重ね合わせることで無彩色の画像を形成することができるため、当該描画用データに基づいて記録媒体に画像を形成することで、入力されたカラー画像データに基づく画像の色合いを再現することができる。
【０００３】
しかし、実際にはＣＭＹ各色トナーを等量、重ね合わせても、物理的な限界等から無彩色の画像を完全に再現することは難しい。そこで、形成する画像に対して、無彩色の再現性を向上させるために、ＣＭＹ色成分からなる描画用データに墨入れを行ったＣＭＹＫ色成分でなる描画用データを生成し、当該描画用データに基づいてＣＭＹＫ各色トナーのドットを生成して重ね合わせ、記録媒体上に画像を形成する。
【０００４】
更に、記録媒体へＣＭＹＫ各色トナーを転写する画像形成時において、重ね合わせるトナー総量が多いと、裏写りやトラッピング不良が生じるため、画像形成時におけるＣＭＹ各色トナー減量を目的として、描画用データにおいてＣＭＹ各色成分が等量でなる無彩色成分をＫ色成分に置き換える墨入れが行われる。
【０００５】
ここで、ＣＭＹ各色成分が等量でなる無彩色成分の一部をＫ色成分に置換することを下色除去（ＵＣＲ : Under Color Removal）と言い、Ｋ色成分に置換する比率を変更させることで、形成する画像における無彩色の再現性や画像形成時のトラッピングが変化する。また、主にＣＭＹ各色成分がほぼ等量ずつでなる無彩色成分を完全にＫ成分に置換することをグレー成分置換（ＧＣＲ : Gray Component Replacement）と言う。
【０００６】
ところで、形成される画像において、無彩色でなる黒文字は判読性向上のため、Ｋ色のみで形成することが好ましく、下絵に文字を重ねて印刷する場合、従来、Ｋ色成分のみで生成した文字データと、当該文字データ領域のＣＭＹ各色成分を排除して生成した下絵データとでなる描画用データを生成していた。しかし、当該描画用データに基づいて記録媒体に画像を形成すると、黒文字と下絵の境界部分に黒文字の輪郭に沿って記録媒体の下地が擬似輪郭として現れ、画質の劣化を招いていた。
【０００７】
特許文献１には、画像の下絵がない黒文字部分に対して、Ｋ色成分のみでなる描画用の文字データを生成するが、画像の下絵がある黒文字部分に対して、下絵と同様にＣＭＹＫ各色成分でなる描画用の文字データを生成するように構成されたプリンタが提案され、当該プリンタによれば、色ずれが生じたときに黒文字と下絵の境界部分に黒文字の輪郭に沿って記録媒体の下地が擬似輪郭として現れることは防止されるため、当該擬似輪郭による画質の劣化は回避される。
【０００８】
【特許文献１】特開２００４−３４６３６号公報
【発明の開示】
【発明が解決しようとする課題】
【０００９】
しかし、色ずれが生じたときに記録媒体の下地が擬似輪郭として現れるのは、下絵に黒文字を重ねて印刷する場合だけではなく、入力されたカラー画像の描画用データに対して、無彩色でなる黒エッジ領域全てに墨入れ処理する場合には、記録媒体に画像を形成するときに色ずれが生じると、画像の黒エッジ領域と内部領域との間には擬似輪郭が現れる。
【００１０】
説明すると、カラー画像の黒エッジ領域に対して、Ｋ色成分のみでなる描画用の黒エッジデータが生成された描画用データに基づいて画像形成すると、図２（ａ）に示すように、エッジ領域が強調された画像が形成される。しかし、画像形成プロセスで色ずれが生じると、図２（ｂ）に示すように、黒エッジ領域と内部領域の間に記録媒体の地肌が白抜けとして現れる擬似輪郭領域が生じて画質が劣化する。
【００１１】
本発明の目的は、上述の問題に鑑み、入力されたカラー画像の黒エッジ領域に墨入れ処理して生成した描画用データに基づいて記録媒体に画像を形成する画像形成プロセスにおいて色ずれが生じた際に、黒エッジ領域近傍に記録媒体の地肌が露出して白抜けした擬似輪郭領域が発生することを防止することができる描画用の黒エッジデータを生成することができる画像処理装置及び画像形成装置を提供する点にある。
【課題を解決するための手段】
【００１２】
上述の目的を達成するため、本発明による画像処理装置の第一の特徴構成は、特許請求の範囲の書類の請求項１に記載した通り、入力されたカラー画像データから黒エッジ領域を抽出するエッジ抽出手段と、抽出された黒エッジ領域に対してそれ以外の領域とは異なる比率で墨入れ処理を行なう墨入れ処理手段を備えている画像処理装置であって、前記エッジ抽出手段により抽出された黒エッジ領域が文字領域か否かを判別する文字領域判別手段を備え、前記墨入れ処理手段は、前記文字領域判別手段により判別された文字領域以外の黒エッジ領域に対して文字領域よりも低い比率で墨入れ処理する点にある。
【００１３】
入力されたカラー画像の黒エッジ領域における文字領域の描画用データに対して、Ｋ色成分のみ、つまり１００％の比率で墨入れ処理が行われるとき、図３（ａ）に示すように、当該描画用データに基づいて形成された黒エッジ領域は強調される。当該描画用データに基づく画像形成プロセスにおいて色ずれが生じても、図３（ｂ）に示すように、形成される黒エッジ領域がドット単位でずれるだけであり、形成される画像の画質の劣化を招くことはない。ここで、図３（ａ）、（ｂ）における、左側のグレー部分及び右側の黒色部分が黒エッジ領域である。
【００１４】
しかし、黒エッジ領域の文字領域以外の描画用データに対して、図２（ａ）に示すように、１００％の比率で墨入れ処理が行われるとき、当該描画用データに基づく画像形成プロセスにおいて色ずれが生じると、図２（ｂ）に示すように、当該黒エッジ領域と内部領域の間に記録媒体の地肌でなる擬似輪郭領域が現れる。一方、図２（ｃ）に示すように、ＣＭＹＫ各色トナーを重ね合わせて形成する、つまり少なくとも１００％より小さな比率で墨入れ処理が行われる黒エッジ領域では、画像形成プロセスにおいて色ずれが生じても、擬似輪郭領域に対してＣＭＹＫ各色トナーのドットが全く存在しない確率は低く、図２（ｄ）に示すように、記録媒体の地肌が現れることはない。墨入れの比率が小さい度、擬似輪郭領域にＣＭＹＫ各色トナーのドットが存在する確率は高くなり、擬似輪郭領域は目立たなくなる。ここで、図２（ａ）、（ｂ）、（ｃ）、（ｄ）における、点線で区切られた各マス目は１画素を示す（以下、図３、図４においても同様）。また、最も濃いグレー部分とその次に濃いグレー部分が黒エッジ領域である。
【００１５】
上述の構成によれば、文字領域以外の黒エッジ領域に対して、文字領域よりも低い比率で墨入れ処理することで、記録媒体の地肌が現れる擬似輪郭領域の発生を防止して画質の劣化を防ぎつつ、黒エッジ領域の強調処理が施された画像を形成することができる描画用の黒エッジデータを生成することができる。
【００１６】
同第二の特徴構成は、同請求項２に記載した通り、上述の第一の特徴構成に加えて、前記文字領域判別手段は、前記黒エッジ領域から選択される注目画素の所定範囲の周辺画素数に対する黒画素数の比率が所定の閾値より小となるときに当該注目画素が文字領域であると判別する点にある。
【００１７】
黒エッジ領域から選択する注目画素が文字領域であれば、図４（ａ）に示すように、無彩色画素である黒画素が当該文字領域の近傍に存在する確率は低く、黒エッジ領域から選択する注目画素が文字領域以外であれば、図４（ｂ）に示すように、無彩色画素である黒画素が当該文字領域の周辺に存在する確率は高い。ここで、図４（ａ）、（ｂ）における斜線部分は黒エッジ領域であり、図（ｂ）におけるグレー部分は黒画素である。また、大きな太枠で囲まれた領域が所定範囲であり、小さな太枠を持つ画素が注目画素である。
【００１８】
上述の構成によれば、黒エッジ領域から選択される注目画素の所定範囲の周辺画素数に対する黒画素数の比率から当該注目画素が文字領域であるか否かを容易に判別することができる。
【００１９】
同第三の特徴構成は、同請求項３に記載した通り、上述の第二の特徴構成に加えて、前記閾値が前記注目画素の濃度に基づいて可変に設定される点にある。
【００２０】
形成する画像の高濃度部に対する墨入れの比率が小さいと黒エッジ領域の強調が不足する。逆に、画像形成プロセスにおいて色ずれが生じた際、形成する画像に現れた擬似輪郭領域は、高濃度部に較べて低濃度部で目立ち易い。そこで、黒エッジ領域における文字領域の判定基準を、低濃度部では厳しく、高濃度部では緩めに設定することで、これらを解決することができる。ところで、黒エッジ領域から選択される注目画素は、無彩色画素である黒画素であり、夫々の濃度は様々な値をとりうるが、少なくとも周辺領域画素の内、最も濃い濃度を備えて可能性が高い。
【００２１】
上述の構成によれば、周辺領域のうち最も濃い濃度を持つ可能性が高い注目画素の濃度に基づいて、周辺領域が高濃度部であるか低濃度部であるかを判断して、夫々に適した閾値で黒エッジ領域における文字領域の判定を行うことができる。
【００２２】
同第四の特徴構成は、同請求項４に記載した通り、上述の第一から第三の何れかの特徴構成に加えて、前記墨入れ処理手段は、前記文字領域判別手段により判別された文字領域以外の黒エッジ領域をＵＣＲ処理するとともに文字領域をＧＣＲ処理する点にある。
【００２３】
黒エッジ領域における文字領域以外の領域で、画像形成プロセスにおける色ずれの発生により現れる擬似輪郭領域を目立たなくさせるには、墨入れの比率を小さくすればよく、当該領域に対する墨入れにはＵＣＲ処理が適している。逆に、黒エッジ領域における文字領域で、画像形成プロセスにおいて色ずれが生じたとき、無彩色でなる当該文字領域に対する墨入れの比率が高いほうが画質劣化は少ないため、当該文字領域に対する墨入れにはＧＣＲ処理が適している。
【００２４】
上述の構成によれば、文字領域以外の黒エッジ領域と文字領域の夫々に適した墨入れを行い、画像形成プロセスにおいて発生した色ずれに基づく画質の劣化を防止することができる。
【００２５】
同第五の特徴構成は、同請求項５に記載した通り、上述の第一から第三の何れかの特徴構成に加えて、前記墨入れ処理手段は、前記文字領域判別手段により判別された文字領域以外の黒エッジ領域を文字領域と判別された黒エッジ領域よりも低い比率でＵＣＲ処理する
【００２６】
上述の構成によれば、文字領域以外の黒エッジ領域と文字領域の夫々に適した墨入れを行い、画像形成プロセスにおいて発生した色ずれに基づく画質の劣化を防止することができる。
【００２７】
本発明による画像形成装置の特徴構成は、同請求項６に記載した通り、請求項１から５の何れかに記載の画像処理装置を備えて構成される点にある。
【発明の効果】
【００２８】
以上説明した通り、本発明によれば、入力されたカラー画像の黒エッジ領域に墨入れ処理して生成した描画用データに基づいて記録媒体に画像を形成する画像形成プロセスにおいて色ずれが生じた際に、黒エッジ領域近傍に記録媒体の地肌が露出して白抜けした擬似輪郭領域が発生することを防止することができる描画用の黒エッジデータを生成することができる画像処理装置及び画像形成装置を提供することができるようになった。
【発明を実施するための最良の形態】
【００２９】
以下、本発明による画像処理装置を備えた画像形成装置の一例である複写機について説明する。
【００３０】
複写機１は、図５に示すように、各種のメニューを設定する複数のメニュー設定キーや設定されたメニューで複写動作を起動するスタートキー等が配置された操作部２０と、原稿テーブルにフェイスアップで載置されたシート状の一連の原稿を順次読み取る画像読取部２１と、読み取られた画像データに画像処理を施して描画用データを生成する画像処理部２２とから構成される画像処理装置２と、用紙カセット３０に格納された記録用紙を搬送する搬送部３１と、前記画像処理部２２から出力された描画用データに基づいて画像を形成して記録用紙に転写する画像形成部３２と、記録用紙に画像を定着する定着部３３などの各部を備え、公知の技術により画像形成、出力を行う画像形成装置３とから構成される。
【００３１】
画像処理装置２と画像形成装置３とは、ＣＰＵと、該ＣＰＵの制御プログラム等を格納したＲＯＭと、作業領域であるＲＡＭと、画像データ等を入出力するインタフェース回路等により構成される制御部を夫々備え、夫々の制御部により制御される。画像処理部２２は画像処理装置２における制御部を兼ねる。
【００３２】
画像処理部２２では、ＣＰＵが制御プログラムを実行して、画像読取部２１から入力される画像データの画像処理を実行する。即ち、画像処理部２２は、図１に示すように、画像読取部２１から入力されるカラー画像データを受信する画像データ受信手段２２０と、当該カラー画像データからノイズや光量ムラを取り除くシェーディング補正手段２２１と、シェーディング補正後の当該カラー画像データの領域分離を行うと共に夫々の領域から黒エッジ領域を抽出するエッジ抽出手段２２２と、抽出した黒エッジ領域が文字領域か否かを判別する文字領域判別手段２２３と、写真領域や文字領域や網点領域、並びに、黒エッジ領域の文字領域と文字領域以外の夫々に適したフィルタ処理を施すフィルタ処理手段２２４と、公知の変換式に基づいてＲＧＢ色成分でなる当該カラー画像データをＣＭＹ色成分でなるカラー画像データに変換する色空間変換処理手段２２５と、ＣＭＹ色成分でなるカラー画像データに墨入れを行う墨入れ処理手段２２６と、黒エッジ領域の画像データとその他の画像データを合成して描画用データを生成する画像データ合成手段２２７と、描画用データを画像形成部３０に出力する描画用データ送信手段２２８とからなる機能ブロックを備える。
【００３３】
以下に、画像処理部２２による黒エッジ領域に関する画像処理について、図６のフローチャートを用いて説明する。
【００３４】
画像データ受信手段２２０は画像読取部２１で読み取られたカラー画像データを受信してＲＡＭに格納し（Ｓ１）、シェーディング補正手段２２１は当該カラー画像データにシェーディング補正を施す（Ｓ２）。
【００３５】
エッジ検出手段２２２はシェーディング補正後のカラー画像データから黒エッジ領域とそれ以外とを抽出して関連付けてＲＡＭに記憶し（Ｓ３）、文字判別手段２２３は黒エッジ領域が文字領域か否かを判別する（Ｓ４）。
【００３６】
フィルタ処理手段２２４は黒エッジ領域の文字領域と文字領域以外との夫々に適したフィルタ処理を施し（Ｓ５）、色空間変換処理手段２２５はＲＧＢ色成分からなるカラー画像データをＣＭＹ色成分からなるカラー画像データに変換する（Ｓ６）。
【００３７】
墨入れ処理手段２２６はＣＭＹ色成分からなるカラー画像データに墨入れを行い（Ｓ７）、画像データ合成手段２２７は黒エッジ領域とその他のカラー画像データを合成して描画用データを生成し（Ｓ８）、画像データ送信手段２２８は描画用データを画像形成部３０へ出力する（Ｓ９）。
【００３８】
エッジ抽出手段２２２は、公知の技術により、入力されたカラー画像データの領域分離及び黒エッジ領域の抽出を行う。説明すると、当該カラー画像データを所定サイズのブロックに切り分け、当該ブロック内部の最大濃度と最小濃度の差を求めることにより、当該ブロックが文字または網点領域か、その他の領域かに分離した後、夫々の領域においてエッジ領域を抽出し、抽出したエッジ領域を構成するカラー画像データのＲＧＢ色成分毎の彩度に基づいて、無彩色でなる領域を黒エッジ領域として抽出する。エッジ領域を抽出する公知の技術としては、例えば、ＲＧＢ色成分でなるカラー画像データを輝度変換して所定サイズのガウシアンフィルタを使用して平滑化した後にラプラシアンフィルタを適用し、二次微分値が正から負へ変化する途中で出力レベルが０となる位置をエッジ画素として抽出する零交差法などがある。
【００３９】
文字領域判別手段２２３は、黒エッジ領域から選択される注目画素の前記黒エッジ領域を除く所定範囲の周辺画素数に対する黒画素数の比率が所定の閾値より小となるときに当該注目画素が文字領域であると判別する。
【００４０】
所定範囲としては、判別対象となる黒エッジ領域が文字領域の一部であるか否かが大きさであれば良く、例えば、注目画素を中心として、７×７の画素を所定範囲とすることができる。
【００４１】
７×７の画素を所定範囲とすると当該所定範囲の全画素数は「４９」であり、所定の閾値が「０．３」に予め設定されていると、図４（ａ）に示すように、黒エッジ領域の画素数が「１０」であるとき、注目画素の前記黒エッジ領域を除く所定範囲の周辺画素数は「３９」、黒画素数は「０」であり、黒エッジ領域から選択される注目画素の前記黒エッジ領域を除く所定範囲の周辺画素数に対する黒画素数の比率は「０÷３９＝０」となるため、当該注目画素は「文字領域」であると判別される。図４（ｂ）に示すように、黒エッジ領域の画素数が「７」であるとき、注目画素の前記黒エッジ領域を除く所定範囲の周辺画素数は「４２」、黒画素数は「２１」であり、黒エッジ領域から選択される注目画素の前記黒エッジ領域を除く所定範囲の周辺画素数に対する黒画素数の比率は「２１÷４２＝０．５」となるため、当該注目画素は「文字領域以外」と判別される。
【００４２】
以下に、文字領域判別手段２２３による文字領域判別動作について、図７のフローチャートを用いて説明する。
【００４３】
文字領域判別手段２２３は黒エッジ領域から注目画素を選択し（Ｓ４０）、注目画素を中心に所定範囲を設定する（Ｓ４１）。
【００４４】
文字領域判別手段２２３は、注目画素の黒エッジ領域を除く所定範囲の周辺画素に対する黒画素数の比率を導出し（Ｓ４２）、当該比率が所定の閾値より小さいとき（Ｓ４３）、当該注目画素が文字領域であると判別し（Ｓ４４）、当該比率が所定の閾値以上であるとき（Ｓ４３）、当該注目画素が文字領域以外であると判別する（Ｓ４５）
【００４５】
更に、黒エッジ領域が文字領域であるか否かを適切に判別するため、閾値は注目画素の濃度に基づいて可変に設定される。例えば、注目画素が低濃度であるときは閾値を「０．２」、高濃度であるときは閾値を「０．３」に設定することで、適切に判別することができる。
【００４６】
フィルタ処理手段２２４は、黒エッジ領域の文字領域に対して微分フィルタによりエッジ強調処理を行い、文字領域以外の領域に対して積分フィルタにより平滑化処理を行う。
【００４７】
以下に、フィルタ処理手段２２４による黒エッジ領域のフィルタ処理について、図８（ａ）のフローチャートを用いて説明する。
【００４８】
フィルタ処理手段２２４は、処理対象が黒エッジ領域の文字領域であるとき（Ｓ５０）、微分フィルタを適用してエッジ強調処理を行い（Ｓ５１）、フィルタ処理対象が黒エッジ領域の文字領域以外であるとき（Ｓ５０）、積分フィルタを適用して平滑化処理を行う（Ｓ５２）。
【００４９】
墨入れ処理手段２２６は、抽出された黒エッジ領域に対してそれ以外の領域とは異なる比率で墨入れ処理を行うように構成され、文字領域判別手段２２３により判別された文字領域以外の黒エッジ領域を予め設定された所定割合でＵＣＲ処理するとともに文字領域をＧＣＲ処理する。
【００５０】
以下に、墨入れ処理手段２２７による黒エッジ領域に対する墨入れ処理について、図８（ｂ）のフローチャートを用いて説明する。
【００５１】
墨入れ処理手段２２７は、処理対象が黒エッジ領域でないとき（Ｓ７０）、予め設定された比率でＵＣＲ処理を行う（Ｓ７２）。処理対象が黒エッジ領域であり（Ｓ７０）、文字領域であるとき（Ｓ７１）、ＧＣＲ処理を行い（Ｓ７３）、文字領域以外であるとき（Ｓ７１）、文字領域以外用に予め設定された比率でＵＣＲ処理を行う（Ｓ７２）。
【００５２】
以下に、別実施形態について説明する。
【００５３】
上述の実施形態では、文字領域判別手段２２３は、黒エッジ領域から選択される注目画素の前記黒エッジ領域を除く所定範囲の周辺画素数に対する黒画素数の比率が所定の閾値より小となるときに当該注目画素が文字領域であると判別する
構成としたが、黒エッジ領域から選択される注目画素の所定範囲の周辺画素数に対する黒画素数の比率が所定の閾値より小となるときに当該注目画素が文字領域であると判別する構成であってもよい。
【００５４】
上述の実施形態では、文字領域判別手段２２３が判別に用いる閾値が、注目画素の濃度に基づいて可変に設定される構成としたが、注目画素の所定範囲の、平均または最大または最小の濃度に基づいて可変に設定される構成でもよい。この場合、墨入れ処理をより適切に実施することができる。また、扱う画像データが濃度変化に乏しいようなときには、閾値は所定濃度に固定で予め設定される構成であってもよい。
【００５５】
上述の実施形態では、墨入れ処理手段２２６は、文字領域判別手段２２３により判別された文字領域以外の黒エッジ領域をＵＣＲ処理するとともに文字領域をＧＣＲ処理する構成としたが、文字領域以外の黒エッジ領域を文字領域と判別された黒エッジ領域よりも低い比率でＵＣＲ処理する構成であってもよい。
【００５６】
上述の実施形態では、本発明による画像読取装置を備えた画像形成装置である複写機について説明したが、本発明による画像読取装置は、例えば、スキャナなどのように単独で使用するものであってもよい。また、本発明による画像読取装置を備えた前記画像形成装置は、前記画像読取装置を備えたものであれば複写機以外であってもよく、例えばＦＡＸ、または複合機等であってもよい。
【００５７】
尚、上述した実施形態は何れも本発明の一実施例に過ぎず、当該記載により本発明の範囲が限定されるものではなく、各部の具体的構成は本発明による作用効果を奏する範囲において適宜変更することができることはいうまでもない。
【図面の簡単な説明】
【００５８】
【図１】画像処理装置の機能ブロック構成図
【図２】（ａ）黒エッジ領域における文字領域以外の描画用画像データに対して、Ｋ成分のみで墨入れ処理した後の描画用データに基づいて、色ずれなく形成された画像の説明図、（ｂ）黒エッジ領域における文字領域以外の描画用画像データに対して、黒エッジ領域における文字領域以外の描画用画像データに対して、Ｋ成分のみで墨入れ処理した後の描画用データに基づいて、色ずれを生じて形成された画像の説明図、（ｃ）黒エッジ領域における文字領域以外の描画用画像データに対して、ＣＭＹＫ成分重ね合わせて処理した後の描画用データに基づいて、色ずれなく形成された画像の説明図、（ｄ）黒エッジ領域における文字領域以外の描画用画像データに対して、ＣＭＹＫ成分重ね合わせて処理した後の描画用データに基づいて、色ずれを生じて形成された画像の説明図
【図３】（ａ）黒エッジ領域における文字領域の描画用データに対して、Ｋ色成分のみで１００％の墨入れをした後の画像データに基づいて、色ずれなく形成された画像の説明図、（ｂ）黒エッジ領域における文字領域の描画用データに対して、Ｋ色成分のみで１００％の墨入れをした後の画像データに基づいて、色ずれを生じて形成された画像の説明図
【図４】（ａ）黒エッジ領域から選択する注目画素が文字領域である場合の所定範囲の説明図、（ｂ）黒エッジ領域から選択する注目画素が文字領域以外である場合の所定範囲の説明図
【図５】複写機の説明図
【図６】画像処理部が行う画像処理動作を説明するフローチャート
【図７】文字領域判別手段が行う文字領域判別動作を説明するフローチャート
【図８】（ａ）フィルタ処理手段が行うフィルタ処理動作を説明するフローチャート、（ｂ）墨入れ処理手段が行う墨入れ処理動作を説明するフローチャート
【符号の説明】
【００５９】
２１：画像読取部
２２：画像処理部
３０：画像形成部
２２０：画像データ受信手段
２２１：シェーディング補正手段
２２２：エッジ検出手段
２２３：文字領域判別手段
２２４：フィルタ処理手段
２２５：色空間変換処理手段
２２６：墨入れ処理手段
２２７：画像データ合成手段
２２８：描画用データ送信手段
【図１】
2008205967.tif 000003
【図５】
2008205967.tif 000004
【図６】
2008205967.tif 000005
【図７】
2008205967.tif 000006
【図８】
2008205967.tif 000007
【図２】
2008205967.tif 000008
【図３】
2008205967.tif 000009
【図４】
2008205967.tif 000010